(57)【要約】  ｅペーパーアセンブリが、電荷応答性、書換可能媒体層、および媒体層の第１の側面上に配置された浮遊電荷受容層を含んでいる。水蒸気バリアが、浮遊電荷受容層および電荷応答性媒体層の第１の側面の間に介在されており、この水蒸気バリアは無機材料を含んでいる。
2020524815.tif 000002
【特許請求の範囲】
【請求項１】
受動性ｅペーパーアセンブリであって：
第１の側面および反対側の第２の側面を含む、電荷応答性の書換可能な媒体層；
媒体層の第１の側面上に配置された浮遊電荷受容層；および
電荷受容層および電荷応答性媒体層の第１の側面の間に介在された水蒸気バリアを含み、水蒸気バリアは無機材料を含んでおり、そして水蒸気バリアは浮遊電荷受容層から電荷応答性の書換可能な媒体層への電荷の移動を可能にする、ｅペーパーアセンブリ。
【請求項２】
媒体層の第２の側面上に配置された対電極層を含む、請求項１のｅペーパーアセンブリ。
【請求項３】
無機材料は、無機酸化材料およびセラミック材料の少なくとも１つを含む、請求項１のｅペーパーアセンブリ。
【請求項４】
水蒸気バリアは約１ナノメートルから１０００ナノメートルの厚さを有する、請求項１のｅペーパーアセンブリ。
【請求項５】
水蒸気バリアは約１０９オーム−ｃｍの電気抵抗率の下限を含み、そして：
約１０１３オーム−ｃｍの電気抵抗率の上限；および
約２０ボルト未満の絶縁破壊電圧の少なくとも１つを含む、請求項４のｅペーパーアセンブリ。
【請求項６】
浮遊電荷受容層および水蒸気バリアの間に介在された第１の接着促進層；および
水蒸気バリアおよび電荷応答性媒体層の第１の側面の間に介在された第２の接着促進層を含む、請求項１のｅペーパーアセンブリ。
【請求項７】
第１の接着促進層および第２の接着促進層のそれぞれの少なくとも１つが：
少なくとも１つの無機官能基および少なくとも１つの有機官能基を含むハイブリッド材料；および
有機ポリマー材料の少なくとも１つを含む、請求項６のｅペーパーアセンブリ。
【請求項８】
媒体層に面する浮遊電荷受容層の第１の側面上に画定された第１の接着促進表面；および
電荷応答性の書換可能な媒体層の第１の側面上に画定された第２の接着促進表面を含み：
第１の接着促進表面および第２の接着促進表面のそれぞれの少なくとも１つがプラズマ変性表面を含む、請求項１のｅペーパーアセンブリ。
【請求項９】
少なくとも浮遊電荷受容層が、電荷応答性媒体層に向かう電荷の移動を容易にする異方性構造を含む、請求項１のｅペーパーアセンブリ。
【請求項１０】
水蒸気バリアであって：
可撓性の受動性ｅペーパーアセンブリの浮遊電荷受容層および電荷応答性の書換可能な媒体層の第１の側面の間に介在される無機層を含み、そして少なくとも部分的な無機層が浮遊電荷受容層から電荷応答性媒体層への電荷の移動を可能にする、水蒸気バリア。
【請求項１１】
無機層は約１ナノメートルから１０００ナノメートルの厚さを含み、約１０９オーム−ｃｍの電気抵抗率の下限を含み、そして：
約１０１３オーム−ｃｍの電気抵抗率の上限；および
約２０ボルト未満の絶縁破壊電圧の少なくとも１つを含む、請求項１０の水蒸気バリア。
【請求項１２】
電荷受容層および電荷応答性媒体層の少なくとも１つが有機材料を含む、請求項１０の水蒸気バリア。
【請求項１３】
製造方法であって：
受動性ｅペーパーアセンブリの可撓性の、受動性で電荷応答性の書換可能な媒体層をもたらし、電荷応答性媒体層は第１の側面および反対側の第２の側面を有し；そして
電荷応答性媒体層の第１の側面上に電荷透過性の水蒸気バリアを配置することを含み、水蒸気バリアが可撓性の無機材料を含む、製造方法。
【請求項１４】
水蒸気バリアが摂氏３８度および相対湿度９０％において約１ｇ／ｍ２／週未満の水蒸気透過率（ＭＶＴＲ）、約１ナノメートルおよび約１０００ナノメートルの間の厚さを有するように配置し；および
水蒸気バリアが約１０９オーム−ｃｍの電気抵抗率の下限を含み、そして：
約１０１３オーム−ｃｍの電気抵抗率の上限；および
約２０ボルト未満の絶縁破壊電圧を示しながら少なくとも約１０１４オーム−ｃｍの電気抵抗率の上限の少なくとも１つを含むように配置することを含む、請求項１３の方法。
【請求項１５】
水蒸気バリアの媒体層と反対側の側面上に浮遊電荷受容層を配置することを含む、請求項１３の方法。
【発明の詳細な説明】
【発明の背景】
【０００１】
電子ペーパー（「ｅペーパー」）は、普通の紙の上のインクの外観を再現するよう設計された表示技術である。ｅペーパーの幾つかの例は、普通の紙のように光を反射し、テキストおよびイメージを表示することができるものであってよい。幾つかのｅペーパーは、紙のような可撓性のある薄いシートとして実施されてよい。身近なｅペーパー実施形態の１つには、電子リーダーが含まれる。
【図面の簡単な説明】
【０００２】
図１は、水蒸気バリアを含む例示的な受動性ｅペーパーアセンブリを概略的に示す側面図である。
【０００３】
図２は、さらに対電極層を含む、図１におけるような例示的な受動性ｅペーパーアセンブリを概略的に示す側面図である。
【０００４】
図３は、さらに接着促進層を含む、図２におけるような例示的な受動性ｅペーパーアセンブリを概略的に示す側面図である。
【０００５】
図４は、無機水蒸気バリアを形成する例示的な方法を概略的に示すブロック図である。
【０００６】
図５は、接着促進層を形成する例示的な方法および／または材料を概略的に示すブロック図である。
【０００７】
図６Ａは、例示的なｅペーパーアセンブリを概略的に示す部分断面図および例示的なイメージングユニットを概略的に示す側部平面図を含む図である。
【０００８】
図６Ｂは、例示的な受動性ｅペーパー表示媒体を概略的に示す展開図である。
【０００９】
図６Ｃは、例示的な受動性ｅペーパー表示媒体を概略的に示す上部平面図である。
【００１０】
図７は、受動性ｅペーパーアセンブリの例示的な製造方法を概略的に示す流れ図である。
【発明を実施するための形態】
【００１１】
以下の詳細な説明においては、本願の一部分を形成する添付図面に対する参照が行われ、そして添付図面には例示として、本開示を実施することのできる具体的な例が示されている。理解されるであろうが、他の例も用いられてよく、本開示の範囲から逸脱することなしに、構造的または論理的な変更を行ってよい。したがって以下の詳細な説明は、限定的な意味に取られるものではない。本願に記載された種々の例の特徴は、特に別様に記載しない限り、部分的にまたは全体的に、相互に組み合わせてよいことが理解されよう。
【００１２】
本開示の少なくとも幾つかの例は、受動性ｅペーパーアセンブリのために水蒸気バリアを提供し、ｅペーパーアセンブリが変動する湿度条件下に存在した場合でも、表示されたイメージが保持されるようにすることに向けられている。特に、ｅペーパーアセンブリが取り扱われうる場所および／または環境の種類とは無関係に、十分なイメージ品質を維持することが望ましい。幾つかの場合には、湿度の高い環境は、そうした水蒸気バリアを欠いているｅペーパーアセンブリに対して、厳しい条件を賦課することになりうる。しかしながら、例示的な受動性ｅペーパーアセンブリに水蒸気バリアを含めると、そうした高湿度条件においても、高いイメージ品質を保持することが可能となりうる。幾つかの例では水蒸気バリアは、ｅペーパーアセンブリが摂氏３８度および相対湿度９０％において、約０．１ｇ／ｍ２／日未満の水蒸気透過率（ＭＶＴＲ）で高いイメージ品質を保持することを可能にしてよい。したがって、そうした例示的な水蒸気バリアによって、幾つかの例ではｅペーパーアセンブリは、摂氏３８度および相対湿度９０％において、約１ｇ／ｍ２／週未満の水蒸気透過率（ＭＶＴＲ）で高い品質のイメージを保持しうる。
【００１３】
幾つかの例では、ｅペーパーアセンブリは場合によって、ｅペーパー表示媒体またはｅペーパー表示デバイスとして参照され、および／またはその内部に取り入れられる。
【００１４】
幾つかの例では、受動性ｅペーパーアセンブリは、第１の側面および反対側の第２の側面を含む、電荷応答性の書換可能な媒体層を含んでいる。浮遊電荷受容層が媒体層の第１の側面上に配置され、そして水蒸気バリアが電荷受容層および媒体層の第１の側面の間に介在される。水蒸気バリアは無機材料を含んでいてよく、そして水蒸気バリアは、浮遊電荷受容層から電荷応答性の書換可能な媒体層への電荷移動を容易なものとする。
【００１５】
上記した例示的な無機水蒸気バリア（層）の低い透過性は、水蒸気に対して比較的高いレベルの透過性を示す、少なくとも幾つかの商業的に入手可能な有機ポリマー材料と明らかな対照をなすものであり、そうした有機ポリマーについて妥当な厚さは、可撓性の受動性ｅペーパー表示媒体（例えばアセンブリ）に使用するには余りに厚いものとなりうる。例えば、そうした商業的に入手可能な有機ポリマー材料の少なくとも幾つかについて、水蒸気バリアとして良好に機能するための適切な厚さは、数十マイクロメートル程度であってよいが、これは、本開示の例示的な無機水蒸気バリアの少なくとも幾つかのものの厚さよりも実質的に大きい。幾つかの例では、少なくとも本願の文脈において、「実質的に大きい」という用語は、少なくとも２５％、５０％、７５％、１００％の厚さの相違、または２×、３×、等々の相違さえ意味している。幾つかの例では、少なくとも本願の文脈において、「実質的に大きい」という用語は、少なくとも１桁（または少なくとも２桁または３桁）の厚さの相違を意味している。
【００１６】
このことを念頭に置けば、本開示の幾つかの例示的な無機水蒸気バリアは、幾つかのそうした商業的に入手可能な有機ポリマーの水蒸気透過性よりも実質的に小さい固有水蒸気透過性を有していてよいことが理解されよう。幾つかの例では、少なくとも本願の文脈において、「実質的に小さい」という用語は、少なくとも２５％、５０％、７５％、１００％の透過率の相違、または２×、３×、等々の相違さえ意味している。幾つかの例では、少なくとも本願の文脈において、「実質的に小さい」という用語は、少なくとも１桁（または少なくとも２桁または３桁）の透過率の相違を意味している。
【００１７】
幾つかの例では、例示的な無機水蒸気バリアの固有の相対的に低い透過性は、バリアを比較的薄くすることを可能にし、このことはｅペーパーアセンブリの可撓性に寄与する。さらにまた、この薄さは次に、ｅペーパーアセンブリ上におけるイメージ品質の低下を殆どまたは全く伴わずに、比較的大きな抵抗性を有する無機材料を使用することを可能にする。
【００１８】
幾つかの例では、ｅペーパーアセンブリを受動性のものと参照することは、そのｅペーパーアセンブリが電気的に受動性であること、すなわち書換可能媒体層に表示されるイメージ（例えば情報）に変化を意図的に生じさせるために、能動電極プレート、電極層、駆動電極、駆動回路、その他を有しないことを意味している。したがって幾つかの場合には、受動性ｅペーパーアセンブリは場合によっては、無回路であるとして参照されてよい。
【００１９】
少なくとも部分的には、例示的な受動性ｅペーパーアセンブリがオンボードの電源および／または内部回路を欠いていることによって、受動性ｅペーパー表示媒体は比較的薄く軽量であり、それによって例示的な受動性ｅペーパーディスプレイに対して、より在来の紙のような外観および感触を付与する。
【００２０】
幾つかの例では、上記した受動性ｅペーパーアセンブリは、媒体層の第２の側面上に配置された対電極層を含んでいる。
【００２１】
幾つかの例では、上記した受動性ｅペーパーアセンブリはさらに、浮遊電荷受容層および水蒸気バリアの間に介在された第１の接着促進層を含み、そして水蒸気バリアおよび媒体層の第１の側面の間に介在された第２の接着促進層を含む。
【００２２】
こうした配置構成を通じて、電荷応答性の書換可能媒体層は水蒸気（例えば湿気）から保護され、かくして水蒸気の存在にかかわらず、ｅペーパーアセンブリ上に表示された情報はそのイメージ品質を長期間にわたって保持する。理解されるように、水蒸気からのそうした保護は、こぼれた液体、雨のしずく、その他に対してｅペーパーアセンブリが一時的に曝露された場合のような、受動性ｅペーパーアセンブリの電荷受容層、対電極層、縁部その他の一般的な防水性とは明確に異なる。さらにまた、少なくとも幾つかの例においては、ｅペーパーアセンブリまたは表示デバイスの他の部分（例えば対電極層その他）は、そうした層が有機層であったとしても、ｅペーパーアセンブリの非イメージ側において十分な水蒸気バリアを提供してよいが、その理由は、そうした特定の位置ではより大きな厚さが許容されるものであり、および／または電荷はそうした層を通って移動する必要がないからである。したがって幾つかの例では、浮遊電荷受容層および電荷応答性層の間に介在された無機水蒸気バリアは、ｅペーパーアセンブリの唯一の無機水蒸気バリアを含むものであってよい。換言すれば、無機水蒸気バリアは、ｅペーパーアセンブリのイメージ側または表面に配置される。
【００２３】
多種多様な環境条件の下での受動性ｅペーパー表示媒体（例えばアセンブリ）におけるイメージ品質の堅牢な保持は、そうした受動性ｅペーパー表示媒体が、ギフトカード、表示カード、社員バッジ、ゲストバッジ、アクセスバッジ、取引（トランザクション）媒体、その他として機能する有用性を増大させうる。
【００２４】
これらの例、および追加的な例が、少なくとも図１から図７に関連して記述され例示される。
【００２５】
図１は、例示的な受動性ｅペーパーアセンブリ２０を概略的に示す側面図である。幾つかの例では、ｅペーパーアセンブリ２０は場合によって、ｅペーパー表示アセンブリ、ｅペーパー表示媒体、および／またはｅペーパー表示デバイスとして参照されてよい。さらにまた幾つかの例では、ｅペーパーアセンブリ２０は、少なくとも図６Ｂ〜図６Ｃに関連して後述するように、大きなｅペーパー表示媒体または表示デバイスの一部を形成するものであってよい。
【００２６】
図１に示すように、幾つかの例では、受動性ｅペーパーアセンブリ２０は、第１の側面３５Ａおよび反対側の第２の側面３５Ｂを含む、電荷応答性の書換可能な媒体層３４を含んでいる。浮遊電荷受容層３０が電荷応答性媒体層３４の第１の側面３５Ａ上に配置されており、そして水蒸気バリア３２が、浮遊電荷受容層３０および電荷応答性媒体層３４の第１の側面３５Ａの間に介在されている。水蒸気バリア３２は無機材料を含んでおり、そして水蒸気バリア３４は、浮遊電荷受容層３０から電荷応答性の書換可能な媒体層３４へと電荷を伝達する（例えば移動を許容する）。水蒸気バリア３２は、第１の側面３３Ａおよび反対側の第２の側面３３Ｂを含んでいる。
【００２７】
幾つかの例では、電荷受容層３０（幾つかの例では）がない場合であっても、電荷応答性媒体層３４は電荷によるイメージ形成が可能であり（例えば図６Ａ）、そして層３０は、電荷応答性層３４に対する意図しない、および／または悪意のある、機械的および電気的損傷に対する保護のためにもたらされるものであってよいことが理解されよう。それでもなお、本開示の少なくとも幾つかの例においては、電荷受容層３０が存在すると、本願に記載する態様でもって、電荷応答性媒体層３４に高品質のイメージを生成し保持することが容易なものとなる。幾つかの例では、そして以下でさらに記載するように、少なくとも電荷受容層３０は異方性構造を含んでいてよく、電荷応答性媒体層３４上における電荷（例えば図６Ａにおいてイメージャー（画像記録）ユニット３１０によって書き込まれた）の移動が促進される。
【００２８】
幾つかの例では、浮遊電荷受容層３０を形成する材料の厚さおよび種類は、少なくとも電荷応答性媒体層３４（図６Ａに示すマイクロカプセル３０８を含む）を、穿孔、摩耗、屈曲、引っ掻き、液体による危険（ハザード）、衝突、および他の衝撃から機械的に保護するように選択される。さらにまた、幾つかの例では、浮遊電荷受容層３０はまた、電荷応答性媒体層３４を摩擦電荷から保護するものであってよい。
【００２９】
幾つかの例では、各々の層３０、３２、３４が比較的薄く、非常に可撓性であることから、受動性ｅペーパーアセンブリ２０は全体が可撓性である。
【００３０】
幾つかの例では、ｅペーパーアセンブリを受動性であるとして参照することは、ｅペーパーアセンブリ２０が電気的に受動性であること、すなわち書換可能な媒体層３４に表示されたイメージ（例えば情報）の変化を生じさせるために、能動的な電極プレート、電極層、駆動電極、駆動回路等々を有していないことを意味する。そうではなしに、表示されたイメージにおける何らかの変化は、限定するものではないが、少なくとも図６Ａに関連して後述するイメージングユニットのような、外部のイメージングユニットによって生じさせられる。さらにまた、先に記載したように、ｅペーパーアセンブリ２０はオンボードの電源を持たないことから、比較的薄く、軽量でありうる。
【００３１】
電荷応答性媒体層３４は、磁場または電荷が電荷受容層３０に印加された場合に色を切り替える（例えば黒、白、その他）部材を含んでいる。幾つかの例では、電荷応答性媒体層３４は、切り替え可能な顔料または染料の組み合わせを含んでいる。そうした電荷応答性媒体層３４の１つの例（受動性ｅペーパーアセンブリにおける）が、少なくとも図６Ａに関連して後述される。幾つかの例では、電荷応答性の書換可能な媒体層３４は、約２０マイクロメートルおよび約１００マイクロメートルの間の厚さ（Ｔ３）を含んでいる。幾つかの例では、電荷応答性媒体層３４は、有機材料（単数または複数）を含んでいる。
【００３２】
図１をさらに参照すると、幾つかの例では、浮遊電荷受容層３０は約５０から約２００マイクロメートルの間の厚さ（Ｔ２）を含み、そして有機材料（単数または複数）を含んでいてよい。幾つかの例では、浮遊電荷受容層３０は、特にＵＶ硬化性アクリレートを含んでいてよい。幾つかの例では、浮遊電荷受容層３０は、異方性特性を示して電荷応答性媒体層３４に向けての電荷の移動を容易なものとするために、マグネタイト粒子のような添加剤を含んでいてよい。したがって、こうした例の幾つかにおいては、浮遊電荷受容層３０は場合によってはまた、異方性層として参照されてよい。
【００３３】
対照的に、前述したように水蒸気バリア３２は無機材料を含んでいてよい。したがって、幾つかの場合には、水蒸気バリア３２は場合によっては、非プラスチック材料および／または非ガラス材料であるとして参照されてよい。幾つかの場合には、水蒸気バリア３２は場合によっては、非金属材料であるとして参照されてよい。
【００３４】
幾つかの例では、水蒸気バリア３２の無機材料は、無機酸化材料を含んでいる。幾つかの例では、無機酸化材料は酸化アルミニウム、酸化チタン、および／または酸化ケイ素を含んでいてよく、そして幾つかの例では、類似の金属酸化物材料を含んでいてよい。
【００３５】
幾つかの例では、水蒸気バリア３２の無機材料は、限定するものではないが、窒化ケイ素および／または類似の材料のような、セラミック材料を含んでいる。
【００３６】
図４のダイヤグラムにさらに示されているように、無機層（例えば図１〜３における３２）は、複数２０５の実行事項２１０、２１２、２１４、２１６、２１８、２２０、２２２、２２４の１つを介して形成されてよく、これらの各々について以下でさらに説明する。特に、図４に示されているように、幾つかの例では、無機材料は、硬化性液体コーティング２１０；スパッタリング２１２；蒸着２１４；原子層堆積２１６；化学気相蒸着（ＣＶＤ）２１８；イオンビーム蒸着２２０；プラズマ支援原子層堆積２２２；およびプラズマ支援化学気相蒸着２２４の少なくとも１つを介して形成および／または堆積されてよい。
【００３７】
幾つかの例では、水蒸気バリア３２は摂氏３８度および相対湿度９０％において、約０．１ｇ／ｍ２／日未満の水蒸気透過率（ＭＶＴＲ）を示してよい。幾つかの例では、水蒸気バリア３２は摂氏３８度および相対湿度９０％において、約１ｇ／ｍ２／週未満の水蒸気透過率（ＭＶＴＲ）を示してよい。
【００３８】
幾つかの例では、こうした水蒸気透過率（ＭＶＴＲ）は、約１ナノメートルおよび約１０００ナノメートルの間の厚さ（少なくとも図１〜図３におけるＴ１）を有する、そして幾つかの例では、約１０９オーム−ｃｍの下限および約１０１３オーム−ｃｍの上限の間の体積電気抵抗率を有する、水蒸気バリア３２によって達成されてよい。幾つかの例では、無機水蒸気バリア３２によって示される抵抗率の下限は、電荷応答性媒体層３４上に高品質のイメージを書き込むのを可能にし、そしてイメージのぼやけを回避するために、水蒸気バリア３２を通る（電荷受容層３０から電荷応答性媒体層３４への）電荷の十分な移動を可能にするだけ十分に高い。幾つかの例では、無機水蒸気バリア３２によって示される抵抗率の上限は、浮遊電荷受容層３０の外側表面（例えばイメージング表面）上に過剰の電荷が蓄積するのを回避するのに十分なものである。そうした例の幾つかにおいて、この上限は過剰の電荷蓄積を抑制し、このことは次いで、そうした過剰の電荷蓄積が存在したとした場合にユーザーがｅペーパーアセンブリ２０を取り扱う際に生じうる、イメージ（電荷応答性媒体層３２上に表示された）に対する不慮の変更を最小限のものとし、または回避させうる。
【００３９】
幾つかの例では、水蒸気バリア３２がサブミクロン程度の厚さのような、十分に小さな厚さを有し、その一方で、幾つかの例では約２０ボルト未満の絶縁破壊電圧を示すような場合に、水蒸気バリア３２は、約１０１４オーム−ｃｍまたは少なくとも約１０１４オーム−ｃｍの電気抵抗を含んでいてよい。幾つかの例では、絶縁破壊電圧は、３０ボルトまたは４０ボルトのように、僅かに高くてよい。
【００４０】
幾つかの場合には、この約１０１４オーム−ｃｍの電気抵抗は（または少なくとも約１０１４オーム−ｃｍの場合であってさえ）、水蒸気の侵入を防ぐため、これまで場合によって使用されてきた、幾つかの商業的に入手可能な有機材料の電気抵抗より、少なくとも１桁（または少なくとも２桁または３桁）小さくありうる。そうした商業的に入手可能な有機ポリマーにおける、こうした比較的大きな抵抗率は、誰かが本開示の少なくとも幾つかの例にしたがって、それらを受動性ｅペーパーアセンブリに採用しようと試みた場合に、所望とする電荷移動を著しく阻止しうる。
【００４１】
無機水蒸気バリア３２が約１マイクロメートル（例えば幾つかの例では最大値）の厚さを有してよい場合などの、幾つかの例では、最大表面電荷（例えば絶縁破壊電圧）が２０ボルト未満となるように、無機水蒸気バリア３２は約２０ボルト／マイクロメートル（または約２０ボルト／マイクロメートル未満）の絶縁強度を含んでいてよい。１つの側面では、絶縁破壊電圧は厚さに絶縁強度を掛けたものに等しく、ここで絶縁強度は、電荷の導通が生じ始める前に、材料が受ける可能性のある最大の電場を表すものであってよい。このことを念頭に置くと、絶縁破壊電圧は、電荷の導通が生じ始める前に材料が受ける可能性のある、最大の電圧差を表すものであってよい。こうした構成配置を通じて、無機材料の比較的薄い構造および固有の性質は、水蒸気バリア３２および／または電荷受容層３０の表面における僅かな電荷の蓄積に帰結すると予測される。少なくともこうした仕方において、過剰の電荷蓄積および／またはぼやけ（幾つかの場合において）は回避されてよく、かくして高品質のイメージの形成および／または保持が、例示的な受動性ｅペーパーアセンブリについて生じうる。
【００４２】
本開示の水蒸気バリア３２のこうした例示的な構成配置の少なくとも幾つかは、非常に高い抵抗率（例えば１０１８オーム−ｃｍ）を有し、典型的には少なくとも約１０マイクロメートルの厚さで実施され、一方で約２００ボルトまたは２００ボルトを超える絶縁破壊電圧を示す、少なくとも幾つかの商業的に入手可能な有機材料（水蒸気バリアについて使用される）と明確な対照をなす。こうした商業的に入手可能な水蒸気バリア３２のための構成配置を使用しようと試みる者があった場合、約２００ボルトの（またはより高い）表面電荷の蓄積が生ずる可能性が高く、このことはｅペーパーアセンブリ２０の取り扱いに際して、電荷応答性媒体層３４におけるイメージに対する、そうした電荷の意図せざる影響に関連して、高品質のイメージを保持することに干渉する。幾つかの場合には、そうした構成配置は、電荷応答性媒体層３４におけるイメージがぼやける結果をもたらしうる。
【００４３】
幾つかの例では、水蒸気バリア３２の厚さ（Ｔ１）は約１０ナノメートルから約５００ナノメートルである。幾つかの例では、厚さ（Ｔ１）は約１５ナノメートルから約３００ナノメートルである。幾つかの例では、厚さ（Ｔ１）は約２０ナノメートルから２００ナノメートルである。
【００４４】
図示を簡単にするために示していないが、少なくとも幾つかの例において、ｅペーパーアセンブリ２０の縁部（例えば個々の媒体層、電荷受容層、対電極層、その他の縁部）はシール（密封）して、液体の形態であると、および／または蒸気の形態であるとを問わず、水分の侵入が防止されることが理解されよう。
【００４５】
少なくとも図１に示された例において、比較的薄い水蒸気バリアが構造的に保護されるように、水蒸気バリア３２は浮遊電荷受容層３０の内部に配置される。そうした例の幾つかにおいて、この内部配置は、水蒸気バリア３２が浮遊電荷受容層３２の外側に配置されるよう試みられた場合よりも、湿気防止について、相対的により有効でありうる。
【００４６】
しかしながら、幾つかの例では、水蒸気バリア３２は浮遊電荷受容層３０の外側に配置されてよい。そうした例の幾つかにおいては、ｅペーパーアセンブリ２０（そして特に水蒸気バリア３２）に触れたり取り扱ったりすることは著しく少なくなり、または完全に排除されることになり、水蒸気バリア３２の完全性が維持される。そうした例の幾つかにおいて、水蒸気バリア３２が浮遊電荷受容層３０の外側に配置される場合には、水蒸気バリア３２を形成するのに使用することのできる、本願に開示された種々の無機材料の中でも、より耐久性のある材料が選択されてよい。さらに留意されるように、水蒸気バリア３２の比較的薄い構造および／または水蒸気バリアの十分に類似性のある抵抗率特性（電荷受容層３０と比較して）に鑑みると、幾つかの例では、水蒸気バリア３２のそうした外側配置は、浮遊電荷受容層３０の性能に大きな影響を与えないと考えられる。
【００４７】
図２は、対電極層５２をさらに含んでいることを除いて、受動性ｅペーパーアセンブリ２０（図１）と実質的に同じ特徴および特性の少なくとも幾つかを含んでいる、例示的な受動性ｅペーパーアセンブリ５０を概略的に示す側面図である。
【００４８】
対電極層５２は、イメージャーユニット（例えば図６Ａにおける３１０）によるｅペーパー表示アセンブリのイメージングのための対電極を提供する。幾つかの場合には、対電極層５２は場合によっては、接地電極または接地電極層として参照されてよい。幾つかの例では、対電極層５２は、接地電極として作用する別個の導電性要素５４を含んでいる。
【００４９】
このことを踏まえると、対電極層は、書き込みモジュール（例えば図６Ａにおけるイメージャーユニット３１０）から接地電極へと逆向きの電荷が流れることを可能にする。かくして、ｅペーパーアセンブリ５０（図２）は、電荷が浮遊電荷受容層３０上へと放出されているにも拘わらず、基本的には電荷的に中性に保たれる。対電極層５２およびイメージャーユニット（例えば図６Ａにおける３１０）の間の接続がなければ、感知可能な量の電荷が電荷受容層３０上に放出されることはなく、かくして電荷応答性媒体層３４に情報が書き込まれることもない。
【００５０】
幾つかの例では、バリア５３の他に別個の導電性素子５４を有することに代えて、対電極層５２は、インジウムスズ酸化物のような、透明な導電性材料から作成された単一の素子を含んでいてよい。幾つかの例では、対電極層５２は、第１の側面２５Ａがｅペーパー表示媒体５０の視認側として動作してよい場合などには、不透明な導電性材料を含むものであってよい。１つの例では、対電極層５２は、５ｎｍおよび１ｍｍの間の厚さ（Ｔ４）を有する。
【００５１】
図３は、第１の接着促進層６２および第２の接着促進層６４をさらに含んでいることを除いて、受動性ｅペーパーアセンブリ２０（図１）および／または受動性ｅペーパーアセンブリ５０（図２）と実質的に同じ特徴および特性の少なくとも幾つかを含んでいる、例示的な受動性ｅペーパーアセンブリ６０を概略的に示す側面図である。少なくとも幾つかの例において、第１の接着促進層６２は、浮遊電荷受容層３０および水蒸気バリア３２の間の接着性を増大させてよく、そして水蒸気バリア３２および電荷応答性媒体層３４の間の接着性を増大させてよい。
【００５２】
図５のダイヤグラム２５０にさらに示されているように、接着促進層２６５（例えば図３における６０、６２）は、複数２５５の実行事項２６０、２６２、２６４、２６８、２７０、２７２、２７４の１つを介して形成されてよく、これらの各々について以下でさらに説明する。
【００５３】
幾つかの例では、第１の接着促進層６２および第２の接着促進層６４のそれぞれの少なくとも１つは、第１の接着促進層６２および第２の接着促進層６４のそれぞれの１つが欠如している場合に、無機水蒸気バリア３２の形成後に幾つかの場合において生じうるような、無機水蒸気バリア３２におけるクラック形成および／または不完全性を防止するための被膜のようにして作用してよい。
【００５４】
幾つかの例では、第１の接着促進層６２および第２の接着促進層６４の少なくとも１つは、不均質な表面を均質化するのに役立ってよく、このことは次いで、無機水蒸気バリア３２に対する接着性を増大させうる。例えば幾つかの例では、電荷応答性媒体層３４は、不均質な表面を含んでいてよい。幾つかの例では、この不均質な表面はバインダー中のカプセルを含むものであってよく（例えば図６）、これは複数の材料の凝集に起因する不均質な表面を示しうる。
【００５５】
幾つかの例では、第１の接着促進層６２および第２の接着促進層６４の少なくとも１つは、電荷受容層３０に対する無機水蒸気バリア、または電荷応答性媒体層３４に対する無機水蒸気バリアという、整合していない化学的性質（無機対有機）について、架橋として作用することにより、無機水蒸気バリアおよびそれぞれの有機層（３０または３４）の１つの間の接着を容易なものとしてよい。こうした例の幾つかにおいて、第１の接着促進層６２および第２の接着促進層６４のそれぞれの少なくとも１つは、図５のダイヤグラムに示されているように、ハイブリッド材料２６２を含むものであってよい。幾つかの例では、このハイブリッド材料は、少なくとも１つの無機官能基および少なくとも１つの有機官能基を含む。こうした例の幾つかにおいて、ハイブリッド材料は、テトラエトキシシラン（ＴＥＯＳ）、シルセスキオキサンその他のような、有機シラン材料を含むものであってよい。
【００５６】
幾つかの例では、第１の接着促進層６２および第２の接着促進層６４のそれぞれの少なくとも１つは、図５における有機ポリマー材料２６０を含んでいてよい。幾つかの例では、この有機ポリマー材料は流動性であってよく、また熱または紫外（ＵＶ）放射線を介するなどにより硬化性であってよい。例えば、ポリマー材料はＵＶ硬化性のアクリレートを含んでいてよく、これは水蒸気バリア３２のような無機材料に対する接着を容易なものとするために、幾つかの表面官能基を含むものであってよい。
【００５７】
幾つかの例では、第１の接着促進層６２は、電荷応答性媒体層３４に全体として面している浮遊電荷受容層３０の第１の側面３１Ａ上に画定された表面として実施されてよく、そして第２の接着促進層６４は、電荷応答性媒体層３４の第１の側面３５Ａ上に画定された表面として実施されてよい。幾つかの例では、こうした第１の接着促進層６２および第２の接着促進層６４は、図５のダイヤグラムに示されているように、プラズマ変性２６４を介して実施されてよい。例えば、気体状のプラズマに暴露されると、浮遊電荷受容層３０の第１の側面３１Ａを画定している表面は、無機水蒸気バリア３２の第１の側面３３Ａに対する接合を容易なものとする接着促進表面へと化学的に変換されてよく、そして電荷応答性媒体層３４の第１の側面３５Ａを画定している表面は、無機水蒸気バリア３２の第２の側面３３Ｂに対する接合を容易なものとする接着促進表面へと化学的に変換されてよい。
【００５８】
幾つかの例では、第１の接着促進層（または表面）６２および第２の接着促進層（または表面）６４の少なくとも１つは、図５のダイヤグラムに示されているように、原子層堆積２６６、化学気相蒸着２６８、表面シラン処理２７０、プラズマ支援原子層堆積２７２、およびプラズマ支援化学気相蒸着２７４の少なくとも１つを介して実施されてよい。幾つかの例では、表面シラン処理を介しての実施は、第１の接着促進層６２および第２の接着促進層６４の少なくとも１つを形成するために、テトラエトキシシラン（および類似物質）が用いられている場合に使用されてよい。
【００５９】
幾つかの例では、第１の接着促進層６２および第２の接着促進層６４は、約５０マイクロメートル未満の厚さ（Ｔ５、Ｔ６）を含んでいる。したがって、他の特性の中でも、第１の接着促進層（または表面）６２および第２の接着促進層（または表面）６４のこの相対的な薄さは、浮遊電荷受容層３０から電荷応答性層３４への電荷の移動に対する阻止を最小限にするのを助ける（および／または移動を促進するのを助ける）。したがって、幾つかの例では、水蒸気バリア３２および／または第１の接着促進層６２および第２の接着促進層６４は、そうした異方性挙動を示すものであってよい。
【００６０】
幾つかの例では、第１の接着促進層６２および第２の接着促進層６４の少なくとも１つ、無機材料の水蒸気バリア３２、および／または浮遊電荷受容層３０は、静電荷を消散させる性質をもたらす添加剤を含んでいてよい。幾つかの例では、こうした添加剤は、導電性粒子または分子添加剤のいずれかであることができる。幾つかの例では、こうした導電性粒子は数十ナノメートルから数十マイクロメートルの範囲にある直径を有し、そして幾つかの種類の材料から選択可能である。こうした材料は、銀のような金属材料、インジウムスズ酸化物のような導電性酸化材料、ポリアニリンのような本質的に導電性のポリマー材料、またはマグネタイトのような磁性材料を含んでいてよい。
【００６１】
加えて、幾つかの例では、添加剤粒子は磁場または電場において整列可能であり、面外方向のような１つの方向に向けて導電性を増大させることができる。幾つかの場合には、そうした配列を有する材料または層を、異方性であるとして参照してよい場合もある。幾つかの場合には、異方性構造を具現化することにより、層（例えば浮遊電荷受容層３０）は電荷応答性媒体層３４への電荷移動を増大させてよい。
【００６２】
幾つかの例では、分子添加剤は４級アンモニウム塩を含んでいてよい。４級アンモニウム塩の１つは、テトラブチルアンモニウムヘキサフルオロホスフェートを含んでいてよい。
【００６３】
幾つかの例では、第１の接着促進層６２および第２の接着促進層６４の少なくとも１つは、約１０９オーム−ｃｍの下限および約１０１３オーム−ｃｍの上限の間の抵抗率を示してよい。幾つかの例では、こうした抵抗率の範囲は、第１の接着促進層６２および第２の接着促進層６４の、マイクロメートルのオーダーの厚さ（Ｔ５およびＴ６）について適用可能でありうる。幾つかの例では、こうした抵抗率の範囲は、数十マイクロメートルのオーダーの厚さ（Ｔ５およびＴ６）について適用可能でありうる。
【００６４】
しかしながら、それぞれの厚さ（Ｔ５および／またはＴ６）が少なくとも数百マイクロメートルのオーダーであってよい幾つかの例では、第１の接着促進層６２および第２の接着促進層６４のそれぞれは、上述した異方性構造をもって実施されてよく、かくして移動する電荷が面から容易に流出できるようにされる（電荷受容表面の面内にあるのではなく）。
【００６５】
第１の接着促進層６２および第２の接着促進層６４のそれぞれの、こうした抵抗率および関連する厚さを介して、こうした配置構成は、電荷受容表面上において、および／または電荷受容層３０から対電極層５２へと電荷が移動するにつれて、望ましくない量の電荷が電荷受容層３０の表面上に蓄積するのを防止するのを助け、および／または電荷の望ましくない量の横方向への広がりを防止するのを助ける。
【００６６】
幾つかの例では、無機水蒸気バリア３２および／または第１の接着促進層６２および第２の接着促進層６４は、透明または半透明であってよい。こうした例の幾つかにおいて、浮遊電荷受容層３０は省略されてよく、またはやはり透明／半透明に作成されてよい。
【００６７】
図６Ａは、１つの例示的なｅペーパーアセンブリ３００を概略的に表している断面図および例示的なイメージャーユニット３１０を概略的に表している側部平面図を含むダイヤグラム３０１である。幾つかの例では、ｅペーパーアセンブリ３００は、少なくとも図１から図５に関連して先に説明したように、ｅペーパーアセンブリ（例えば２０、５０、６０）と実質的に同じ特徴および特性の少なくとも幾つかを含んでいる。
【００６８】
幾つかの例では、ｅペーパーアセンブリ３００の電荷応答性媒体層３３４は、少なくとも図１から図３に関連して先に説明し図示したように、ｅペーパーアセンブリ（例えば２０、５０、６０）の電荷応答性媒体層３４についての、一つの例示的な実施形態を提供する。図６Ａに示されているように、ｅペーパーアセンブリ３００は、浮遊電荷受容層３０、水蒸気バリア３２、および電荷応答性媒体層３３４を含んでおり、ここで類似する参照番号は、図１から図３における同様の要素を参照している。理解されるように、幾つかの例ではｅペーパーアセンブリ３００は第１の接着促進層６２および第２の接着促進層６４（図３）を含んでいてよいが、しかしそれらは図示の簡単化のために、図６Ａからは省略されている。
【００６９】
幾つかの例では、対電極層５２の外側表面５５は、方向を示す矢印Ｖ１によって表されているように、ｅペーパーアセンブリ３００の視認側２５Ｂを含んでいる。一方、浮遊電荷受容層３０の外側表面３１Ｂは、ｅペーパーアセンブリ３００に対して電荷が印加される表面（例えばイメージング表面）を提供している。
【００７０】
図６Ａに示されているように、幾つかの例では、電荷応答性媒体層３３４は、樹脂またはポリマー３１４によってカプセル化されたマイクロカプセル３０８を含んでいる。１つの例においては、マイクロカプセル３０８の各々は、流体媒体３１６に懸濁された黒色粒子３１０および白色粒子３１２を含んでいる。
【００７１】
幾つかの例では、視認位置に保持された場合、周囲光は透明な（または半透明な）対電極層５２を介して透過され、マイクロカプセル３０８に衝突し、そして視認者Ｖ１へと反射して戻る。マイクロカプセル３０８の白色粒子３１２が対電極層５２の付近に位置する場合には、マイクロカプセル３０８のそれぞれは視認者Ｖ１に対して白色として表れる。しかしながら、マイクロカプセル３０８の黒色粒子３１０が対電極層５２の付近に位置する場合には、マイクロカプセル３０８のしれじれは視認者Ｖ１に対して黒色として表れる。粒子３１０および粒子３１２は反対の電荷を有している。例えば、黒色粒子３１０は正に帯電した粒子であることができ、そして白色粒子３１２は負に帯電した粒子であることができ、かくしてイオン（例えば正または負の電荷）が電荷応答性媒体層３３４に書き込まれた場合、それぞれの粒子３１０、３１２は、個々の吸引力または反発力にしたがって応答することになる。ハーフトーンを生ずるように交互に白色粒子および黒色粒子を対電極層５２の付近に位置して有するマイクロカプセルの配置を変更することにより、種々の濃淡レベルを生成することができる。
【００７２】
このことを念頭に置くと、図６Ａにさらに示されているように、イメージャーユニット３１０は消去ヘッド３１２および書き込みヘッド３１４を含んでいる。幾つかの例では、それぞれのヘッド３１２、３１４はイオン系の技術を包含していてよく、これはコロナから電荷を発生させ、個別にアドレス指定可能な電極のアレイを介して、選択可能なパターンでもって電荷受容層３０に向けて電荷を放出する。幾つかの例では、イオン、例えば正電荷および／または負電荷を発生させるために、他のエネルギー源を使用してよい。
【００７３】
イメージャーユニット３１０およびｅペーパーアセンブリ３００は、相互に相対的に移動するように配置されている。例えば、ｅペーパーアセンブリ３００が固定されたイメージャーユニット３１０に対して移動可能であってよく、またはイメージャーユニット３１０が一時的に固定された位置にあるｅペーパーアセンブリ３００に対して移動可能であってよい。イメージャーユニット３１０は、電荷応答層３０の外側表面３１Ｂから離間されており、かくしてイメージャーユニット３１０から放出された電荷が、電荷応答層３０の第１の側面３１Ｂへと空中を通って移動するようになっている。図６Ａに示された具体的な例では、イメージャーユニット３１０が方向Ａに移動していることが示されており（ｅペーパーアセンブリ３００が固定されている場合）、またはｅペーパーアセンブリ３００媒体が方向Ｂに移動していることが示されている（イメージャーユニット３１０が固定されている場合）。こうした相対的な移動の間に、幾つかの例では消去ヘッド３１２が複数３１８の負電荷３１９を電荷受容層３０上に放出して、媒体層３３４によって保持されている何らかの以前のイメージを消去する。次いで書き込みヘッド（Ｗ）３１４が複数３１６の正電荷３１７を、電荷受容層３０上へと選択可能なパターンで放出する（例えばアドレス指定可能な電極アレイを介して）。一般には、十分な数の電荷３１７が電荷受容層３０を介して、そして水蒸気バリア３２を介して移動し、かくしてそれらの電荷が、マイクロカプセルのアレイの選択された位置において、マイクロカプセル３０８内部の黒色粒子３１０および白色粒子３１２の分布に影響を及ぼすようにされる。図示の例では、黒色粒子３１０は正に帯電していることから、それらは電荷受容層３０において印加された正電荷から反発して離れ、これに対して白色粒子３１２（負に帯電している）は、電荷受容層３０に印加された正電荷に吸引される。その結果、選択されたマイクロカプセル３０８中の黒色粒子３１０は、方向を示す矢印Ｖ１によって表されているように、側面２５Ｂから視認可能なイメージを形成する。
【００７４】
幾つかの例では、方向を示す矢印Ｖ２によって表されているように、電荷受容層３０にある表面３１Ｂは、ｅペーパーアセンブリ３００の視認表面／側を構成するものであってよい。したがってこうした例においては、電荷受容層３０は、ｅペーパーアセンブリ３００のイメージング側およびｅペーパーアセンブリ３００の視認側の両方を構成する。
【００７５】
幾つかの例では、黒色粒子３１０は負に帯電した粒子であることができ、そして白色粒子３１２は正に帯電した粒子であることができる。こうした例の幾つかにおいて、イメージングユニット３１０の消去ヘッド３１２および書き込みヘッド３１４のそれぞれの極性は反転させてよい。
【００７６】
マイクロカプセル３０８は、粒子と粒子の間、および／または粒子とマイクロカプセル表面の間の化学的接着を用いて、イメージ安定性を示す。例えばマイクロカプセル３０８は、電気を使用することなしにテキストおよびイメージをいつまでも保持することができ、その一方でテキストまたはイメージを後で変化させることを許容する。
【００７７】
幾つかの例では、各々のマイクロカプセル３０８の直径は層３３４の内部で実質的に一定であり、そして一つの例では５０μｍといったように、２０μｍおよび１００μｍの間にあることができる。幾つかの例では、対電極層５２の少なくとも一部分は、インジウムスズ酸化物のような透明導電性材料、または不透明な材料から構成されることができる。
【００７８】
ｅペーパーアセンブリ３００は、種々の他の構成を有していてよい。幾つかの例では、各々のマイクロカプセル３０８は、白色に着色された液体中に懸濁された黒色の粒子を含んでいてよい。黒色粒子は、正に帯電された粒子であってもよく、また負に帯電された粒子であってもよい。１つまたはより多くのマイクロカプセルが、ｅペーパーアセンブリ３００上に表示された白黒のイメージのピクセル（画素）を形成する。この白黒のイメージは、黒色粒子を対電極層５２に対して（表面５５が視認側Ｖ１である場合）、または電荷受容層３０に対して（表面３１Ｂが視認側Ｖ２である場合）、近傍に配置しまたは離して配置することによって生成される。例えば、対電極層５２から離して配置された黒色粒子３１０を有するマイクロカプセル３０８は、第１の視認側Ｖ１上で視認可能な、ｅペーパーアセンブリ３００上に表示されたイメージの白色部分に対応する白色光を反射する。対照的に、対電極層５２の付近に配置された黒色粒子を有するマイクロカプセルは、視認者Ｖ１に対して黒色に表れ、ｅペーパーディスプレイ３００上に表示されたイメージの黒色部分に対応する。対電極層５２の付近にまたは離して配置された黒色粒子によるハーフトーン化を使用することにより、種々の濃淡を生成することが可能である。
【００７９】
少なくとも図６Ａに関するこれらの例示的な実施形態を念頭に置くと、幾つかの場合には、商業的に入手可能な有機ポリマーは水蒸気バリア（例えば層３２）として使用するのに適さない場合がありうるが、それは、そうした商業的に入手可能な有機ポリマーが１０１８オーム−ｃｍといった非常に大きな体積抵抗率を有するからである。幾つかの例示的なｅペーパーアセンブリの幾つかにおいて、そうした材料を層３２として使用することが試みられた場合、電荷が電荷応答性媒体層３３４へと移動するのが許容されるのではなく、そうした電荷（図６Ａのイメージャーユニット３１０から放出される）の大きな蓄積が、電荷受容層３０の表面３１Ｂ上に構築されうる。そうした商業的に入手可能な有機ポリマーを使用する（例示的な無機水蒸気バリアに代えて）幾つかの場合には、高い抵抗率および表面（例えば３１Ｂ）上における電荷の蓄積の組み合わせは、流入する放出電荷（イメージャーユニット３１０からの）の横方向への偏向を生じさせ得るものであり、このことは電荷応答性媒体層３３４を介して表示されるイメージのぼやけを招来しうる。加えて、そうした商業的に入手可能な有機ポリマーの多くにおいて、そうした層の表面は比較的低い表面抵抗率を示しうるものであるが、このことは次いで電荷（図６Ａのイメージャーユニット３１０から放出された）の層表面に沿っての流れを生じさせる可能性があり、それによって電荷応答性媒体層３３４を介して表示されたイメージがぼやける結果となる。
【００８０】
図６Ｂは、例示的な受動性ｅペーパー表示デバイス４０を概略的に表している展開図を含むダイヤグラム４０１である。図６Ｂに示されているように、幾つかの例では表示デバイス４００は、ｅペーパーディスプレイ４２０（例えば図１から図３、図６Ａにおけるｅペーパーアセンブリ２０、５０、６０、３００）の周囲に形成され、および／またはそれに対して固定された、支持部材４４０、４５０、４６０を含んでいてよい。１つの側面において、こうした配置構成は、受動性ｅペーパーディスプレイ４２０が、ギフトカード、社員バッジ、ディスプレイカード、取引媒体、その他として機能することを容易なものとしうる。幾つかの例では、１つの支持部材４６０は、受動性ｅペーパーディスプレイ４２０の周囲および／または縁部上に形成されたフレーム４６４を含んでいる。幾つかの例では、図６Ｂに示されているように、支持部材４６０はさらに、第１の外側支持部材４４０および第２の外側支持部材４５０の間に挟み込まれてよい。第１の外側支持部材４４０は、透明部材４４７を保持するウインドウ４４６を画定しているフレーム４４４を含んでおり、指標Ｖ１によって表されているように、この透明部材を介して受動性ｅペーパーディスプレイ４２０は可視化され、また視認可能である。第２の外側支持部材４５０はウインドウ４５６を画定しているフレーム４５４を含んでおり、指標Ｉによって表されているように、このウインドウを介して受動性ｅペーパーディスプレイ４２０の電荷受容層（例えば図１から図３、図６Ａにおける３０）は、イメージャーユニット（例えば図６Ａにおける３１０）を介してのイメージングのためにアクセス可能とされる。
【００８１】
それぞれの支持部材４４０、４６０、４５０の各々を相互に固定すると、単一のｅペーパー表示デバイス４００によって、ｅペーパーディスプレイ４２０上に高品質のイメージを維持しつつ、広範な種々の条件において堅牢な使用および取り扱いを可能にしうる、比較的薄く、可撓性のあるｅペーパー表示媒体が提供される。ｅペーパー表示デバイス４００は、イメージャーユニット（例えば図６Ａにおける３１０）と協働するように構成され、その一方で、任意の通常のギフトカード、身分証カード、入退出バッジ、その他のように使用可能であり、また取り扱われる。かくして、ｅペーパー表示デバイス４００は非常に融通性があり、薄く、軽量で、耐摩耗性や耐衝撃性その他を有する。さらにまた、ｅペーパーディスプレイ４２０の内部に水蒸気バリア３２（例えば図１から図３、図６Ａ）を含めることにより、表示デバイス４００は、ｅペーパーディスプレイ４２０上のイメージ品質に大きな影響を与えることなしに、長期間にわたって高湿度条件に耐えることができる。
【００８２】
図６Ｃは、例示的なｅペーパー表示デバイス４７０を概略的に表す上部平面図である。幾つかの例では、ｅペーパー表示デバイス４７０は、支持フレーム（例えば図６Ｂにおける４４４および／または４６４）を介して支持されたｅペーパーアセンブリ４８０を含んでいる。幾つかの例では、ｅペーパーアセンブリ４８０は、少なくとも図１から図６Ｂに関連して上記で説明した、例示的なｅペーパーアセンブリ（例えば２０、５０、６０、４００）と実質的に同じ特徴および特性の少なくとも幾つかを含んでいる。図６Ｃにおいて示されているように、支持フレームは、例示的なｅペーパーアセンブリ（２０、５０、６０、３００）について上記で説明した仕方におけるイメージの書き換えを具現化しない、という意味においてイメージング可能ではない支持フレームである。しかしながらこのことは、支持フレーム（例えば４４４）が、非ｅペーパー技術を介して印刷されたイメージ（例えばテキスト、グラフィックス、写真）を担持することを排除するものではない。
【００８３】
図６Ｃはまた、ｅペーパーアセンブリ４８０上でイメージ４８１の一部を形成可能な少なくとも幾つかの種類の情報を概略的に表している。例えば、イメージ４８１は氏名、数、その他のような英数字表示といったようなテキスト４８２を含んでいてよい。幾つかの場合には、イメージ４８１は、バーコードまたはＱＲコードのような、機械読み取り可能な標識４８４を含んでいてよい。幾つかの場合には、イメージ４８１は写真４８６および／またはグラフィック４８８を含んでいてよい。
【００８４】
幾つかの場合においては、イメージ４８１中にあるこうした情報を、明瞭で正確な仕方で長期間にわたって維持することが望ましいであろうことが理解されよう。よって、水蒸気バリア３２を導入すること（水蒸気の侵入を防止するため電荷受容層３０および電荷応答性媒体層３４の間に）は、高品質のイメージを維持するについて重要な役割を果たしうること、そのことが次いで、表示された情報の正確性および読み取り性を向上させうることが明らかであろう。この性能は次いで、こうした受動性ｅペーパー媒体の広範な、堅牢な使用に寄与しうる。
【００８５】
図７は、例示的な製造方法５００を概略的に表している流れ図である。幾つかの例では、方法５００は、少なくとも図１から図６Ｃに関連して先に説明したように、アセンブリ、層、構造、バリアその他を介して実施されてよい。幾つかの例では、方法５００は、少なくとも図１から図６Ｃに関連して先に説明したものとは異なる、アセンブリ、層、構造、バリアその他を介して実施されてよい。
【００８６】
図７において３０２で示されているように、方法５００は、受動性ｅペーパーアセンブリの電荷応答性媒体層を提供することを含んでいる。５０４において、方法５００は媒体層の第１の側面上に無機水蒸気バリアを配置することを含み、水蒸気バリアは外側の位置から媒体層へと電荷が移動することを許容する。
【００８７】
幾つかの例では、外側の位置とは電荷受容層から離間されたイメージャーユニット（例えば図６Ａにおける３１０）によって電荷が放出される位置を参照していてよく、そうした空中浮遊電荷は電荷受容層によって受け取られ、電荷応答性媒体層までの行路上で水蒸気バリアを通って移動する前に、電荷は電荷受容層を介して移動する。幾つかの例では、水蒸気バリアの両側に存在している場合、電荷はまた接着促進層（または表面）を通って移動する。
【００８８】
加えて幾つかの例では、製造方法５００は、少なくとも図１から図６Ｃに関連して上記に説明したような、アセンブリ、層、構造、バリアその他の特徴および特性の少なくとも幾つかを取り入れていてよい。例えば、受動性ｅペーパーアセンブリを製造する方法の幾つかの例は、少なくとも図４から図５に関連して先に説明したような、水蒸気バリアおよび／または接着促進層を形成するための材料および／または方法の特徴および特性を含んでいてよい。
【００８９】
本願においては特定の例が図示され説明されてきたが、本開示の範囲から逸脱することなしに、図示され説明された特定の例について、種々の代替的および／または同等の実施形態を置き換えてよい。この出願は、ここに記載した特定の例の、あらゆる適合または変形を包含することを意図している。
【図１】
2020524815.tif 000003
【図２】
2020524815.tif 000004
【図３】
2020524815.tif 000005
【図４】
2020524815.tif 000006
【図５】
2020524815.tif 000007
【図６Ａ】
2020524815.tif 000008
【図６Ｂ】
2020524815.tif 000009
【図６Ｃ】
2020524815.tif 000010
【図７】
2020524815.tif 000011
【国際調査報告】
2020524815.tif 000012
2020524815.tif 000013